(57)【要約】【課題】本発明の主な目的は、容易に抽出データを構築することができる、データ抽出システム、データ抽出プログラム、データ抽出方法、データ保管先装置、データ保管先装置の制御方法およびデータ保管先装置のプログラムを提供することである。【解決手段】データ抽出システム１００は、携帯通信端末２００と、データを記録する１または複数のデータ保管元装置３００と、データを保管するデータ保管先装置４００と、を含む。携帯通信端末２００は、１または複数のデータ保管元装置３００に記録されたデータの書き込み指示を作成してデータ保管先装置４００へ与え、データ保管先装置４００は、書込指示ファイル７００に応じて１または複数のデータ保管元装置３００から所定のデータを抽出して保管し、保管完了の場合に携帯通信端末２００に完了の旨を送信する。【選択図】図１
2019135630.tif 000002
【特許請求の範囲】
【請求項１】
通信端末と、
データを記録する１または複数の記録部と、
前記データを保管するデータ保管先装置と、を含み、
前記通信端末は、
前記１または複数の記録部に記録されたデータの書き込み指示を前記データ保管先装置へ与え、
前記データ保管先装置は、前記書き込み指示に応じて前記１または複数の記録部から所定のデータを抽出して保管する、データ抽出システム。
【請求項２】
通信端末と、
データを記録する１または複数の記録部と、
データを保管するデータ保管先装置と、
書き込み指示を記録する書込指示記録部と、をさらに含み、
前記通信端末は、
前記１または複数の記録部に記録されたデータの書き込み指示を前記書込指示記録部へ与え、
前記データ保管先装置は、前記書込指示記録部から前記書き込み指示を取得し、前記書き込み指示に応じて前記１または複数の記録部から所定のデータを抽出して保管する、データ抽出システム。
【請求項３】
前記通信端末は、少なくとも第１通信端末および第２通信端末を含み、
前記第１通信端末は、前記第１通信端末と前記第２通信端末とのユーザ情報を記録した第１書き込み指示を作成し、
前記第２通信端末は、自身のユーザ情報を記録した第２書き込み指示を作成し、
前記データ保管先装置は、前記第１書き込み指示および前記第２書き込み指示を確認することによって全てのユーザからの書き込み指示を受信したと判断した場合、前記第１書き込み指示と前記第２書き込み指示とに応じて、前記１または複数の記録部から所定のデータを抽出して保管する、請求項１または２に記載のデータ抽出システム。
【請求項４】
前記書き込み指示には、前記書き込み指示の編集状況を示す編集状況情報がさらに含まれ、
前記データ保管先装置は、前記書き込み指示の編集状況情報を確認し、編集完了と判断した場合に、前記書き込み指示に応じて、前記１または複数の記録部から所定のデータを抽出して保管する、請求項１から３のいずれか１項に記載のデータ抽出システム。
【請求項５】
前記データ保管先装置は、前記データを記録媒体に書き込むことが可能な、請求項１から４のいずれか１項に記載のデータ抽出システム。
【請求項６】
テレビジョン装置および外部通信端末の少なくとも一方をさらに含み、
前記データ保管先装置は、前記テレビジョン装置および外部通信端末の少なくとも一方に前記保管したデータを閲覧可能なデータとして送信する、請求項１から５のいずれか１項に記載のデータ抽出システム。
【請求項７】
前記データ保管先装置は、前記書き込み指示に応じて前記１または複数の記録部から所定のデータを抽出して保管し、保管完了の場合に前記通信端末に完了の旨を送信し、
前記通信端末は、前記データ保管先装置から前記完了の旨を受信した場合に、前記保管したデータを閲覧可能である、請求項１から６のいずれか１項に記載のデータ抽出システム。
【請求項８】
前記通信端末は、所定の条件に応じて自動的に前記書き込み指示を作成する、請求項１から７のいずれか１項に記載のデータ抽出システム。
【請求項９】
通信端末、データを記録する１または複数の記録部、および前記データを保管するデータ保管先装置の少なくとも２つの通信を制御するデータ抽出プログラムであって、
前記通信端末から前記１または複数の記録部に記録されたデータの書き込み指示を作成して前記データ保管先装置へ与える指示処理と、
前記指示処理に応じて、前記データ保管先装置が前記１または複数の記録部から所定のデータを抽出して保管する抽出保管処理と、を含む、データ抽出プログラム。
【請求項１０】
通信端末、データを記録する１または複数の記録部、および前記データを保管するデータ保管先装置の少なくとも２つの通信を制御するデータ抽出方法であって、
前記通信端末から前記１または複数の記録部に記録されたデータの書き込み指示を作成して前記データ保管先装置へ与える指示工程と、
前記指示工程に応じて、前記データ保管先装置が前記１または複数の記録部から所定のデータを抽出して保管する抽出保管工程と、を含む、データ抽出方法。
【請求項１１】
データ保管先装置であって、
通信端末および１または複数の記録装置と通信可能な通信部を持ち、
前記通信部は、前記通信端末から送信された、前記１または複数の記録装置に記録されたデータの書き込み指示を受信し、
前記書き込み指示に応じて、前記１または複数の記録装置から所定のデータを抽出して保管する、データ保管先装置。
【請求項１２】
データ保管先装置の制御方法であって、
通信端末および１または複数の記録装置と通信可能な通信工程と、
前記通信工程は、前記通信端末から送信された、前記１または複数の記録装置に記録されたデータの書き込み指示を受信する受信工程と、
前記受信工程による書き込み指示に応じて、前記１または複数の記録装置から所定のデータを抽出して保管する抽出保管工程と、を含む、データ保管先装置の制御方法。
【請求項１３】
データ保管先装置のプログラムであって、
通信端末および１または複数の記録装置と通信可能な通信処理と、
前記通信処理は、前記通信端末から送信された、前記１または複数の記録装置に記録されたデータの書き込み指示を受信する受信処理と、
前記受信処理による書き込み指示に応じて、前記１または複数の記録装置から所定のデータを抽出して保管する抽出保管処理と、を含む、データ保管先装置のプログラム。
【請求項１４】
データ保管先装置であって、
書込指示記録部および１または複数の記録装置と通信可能な通信部を持ち、
前記通信部は、前記書込指示記録部に記録された、前記１または複数の記録装置に記録されたデータの書き込み指示を受信し、
前記書き込み指示に応じて、前記１または複数の記録装置から所定のデータを抽出して保管する、データ保管先装置。
【請求項１５】
データ保管先装置の制御方法であって、
書込指示記録部および１または複数の記録装置と通信可能な通信工程と、
前記通信工程は、前記書込指示記録部に記録された、前記１または複数の記録装置に記録されたデータの書き込み指示を受信する受信工程と、
前記受信工程による書き込み指示に応じて、前記１または複数の記録装置から所定のデータを抽出して保管する抽出保管工程と、を含む、データ保管先装置の制御方法。
【請求項１６】
データ保管先装置のプログラムであって、
書込指示記録部および１または複数の記録装置と通信可能な通信処理と、
前記通信処理は、前記書込指示記録部に記録された、前記１または複数の記録装置に記録されたデータの書き込み指示を受信する受信処理と、
前記受信処理による書き込み指示に応じて、前記１または複数の記録装置から所定のデータを抽出して保管する抽出保管処理と、を含む、データ保管先装置のプログラム。
【発明の詳細な説明】
【技術分野】
【０００１】
本発明は、データ抽出システム、データ抽出プログラム、データ抽出方法、データ保管先装置、データ保管先装置の制御方法およびデータ保管先装置のプログラムに関する。
【背景技術】
【０００２】
例えば、特許文献１（特表２００８−５３０６４９号公報）には、コントローラについて開示されている。特許文献１（特表２００８−５３０６４９号公報）記載のコントローラは、パーソナル・ビデオ・レコーダー（ＰＶＲ）のためのコントローラであって、該ＰＶＲは、メディア・コンテンツを受信するよう動作可能な受信段と、コンテンツを記憶するための内部記憶デバイスと、外部記憶デバイスへの接続のためのインターフェースとを有するものであり、当該コントローラは：外部記憶デバイスにコンテンツを直接記録するという命令を受け取り；前記外部記憶デバイスがメディア・コンテンツを要求される転送レートで保存できるかどうかを判別し；前記外部記憶デバイスがメディア・コンテンツを要求される転送レートで保存できない場合には、受信されたメディア・コンテンツを記録するために前記内部記憶デバイスを使用し、保存されたメディア・コンテンツを前記内部記憶デバイスから前記外部記憶デバイスに転送する、よう動作するものである。
【０００３】
また、特許文献２（特開２００３−１２２６３３号公報）には、受信されたデータを適切に利用することができるように記憶することができるようにする情報処理装置および方法、記録媒体、並びにプログラムについて開示されている。
特許文献２（特開２００３−１２２６３３号公報）記載の情報処理装置は、入力された入力データを記憶して処理する情報処理装置において、前記入力データの少なくとも一部を、内部の内部記憶媒体に記憶させる第１の記憶手段と、前記入力データの少なくとも一部を、外部の外部記憶媒体に記憶させる第２の記憶手段とを備えるものである。
【０００４】
特許文献３（特開２００８−４０８９８号公報）には、データを内部に保存する機能を持たない携帯端末における印刷過程でのセキュリティ向上を図る携帯クライアント端末装置について開示されている。
特許文献３（特開２００８−４０８９８号公報）記載の携帯クライアント端末装置は、アプリケーションサーバを第１の通信回線を通じて操作する操作手段と、アプリケーションサーバから第１の通信回線を通じて送信される出力用データを受信する受信手段と、受信した出力用データの一部または全部を表示する表示手段と、受信した出力用データの一部または全部を内部保存させないセキュア機構と、受信した出力用データの一部または全部を第２の通信回線を通じて画像形成装置に転送するゲートウェイ機構と、を備えるものである。
【０００５】
また、特許文献４（特開２００５−２４２７９２号公報）には、紙の使用量を大幅に減らすことができる携帯型画像表示装置について開示されている。
特許文献４（特開２００５−２４２７９２号公報）記載の携帯型画像表示装置においては、第１の外部装置から複数の一時出力ジョブを受信するジョブ受信手段と、前記ジョブ受信手段により受信した複数の一時出力ジョブを保持するジョブ保持手段と、前記ジョブ受信手段により受信した複数の一時出力ジョブをイメージとして表示する画像表示手段と、前記ジョブ受信手段により受信した複数の一時出力ジョブのうちから、印刷すべき一時出力ジョブを選択するジョブ選択手段と、前記ジョブ選択手段により選択された一時出力ジョブを、第２の外部装置に送信し、前記第２の外部装置で印刷を行なわせるジョブ送信手段と、を有するものである。
【０００６】
また、特許文献５（特開２００５−２１６０９２号公報）には、グループで来園した来園者の場合であっても、撮影された全員の全画像を閲覧できるようにして、来園者の予算内の金額で所望とする写真を提供できる写真撮影サービスについて開示されている。
特許文献５（特開２００５−２１６０９２号公報）記載の写真撮影サービスにおいては、個々の被写体が所持する発信機が発する発信機固有のＩＤと撮影画像とを関連付けて記憶して、同一のグループを構成する被写体が個々に所持する発信機の固有ＩＤを基に前記記憶した撮影画像を検索して表示し、所望する撮影画像を指示された媒体に書き込むようにしたものである。
【０００７】
さらに、特許文献６（特開２００５−２０５８２号公報）には、ネットワーク接続可能な画像処理装置をコンビニ等の店舗に設置して、カメラ付き携帯電話等に記録した画像データを容易且つ信頼性の高い方法で保管する画像データ保管サービス提供システム、方法、画像処理装置、プログラム、及び記録媒体について開示されている。
特許文献６（特開２００５−２０５８２号公報）記載の画像データ保管サービス提供システムにおいては、画像データを記録紙上に印刷出力する印刷手段を少なくとも有する画像処理ユニット及び該画像処理ユニットに接続された情報処理ユニットからなる画像処理装置と、ユーザが所有する画像データを保管するためのサーバ装置とを有し、前記画像処理装置とサーバ装置とがネットワークを介して接続された画像データ保管サービス提供システムにおいて、前記情報処理ユニットは、ユーザのＩＤ情報，認証データ，顔写真データのいずれか１又は複数を少なくとも含む会員登録情報を記憶した記憶手段と、ユーザから認証データが入力された場合に該入力された認証データと前記記憶手段に記憶された認証データとを照合し、その結果、両者が一致した場合に前記認証データに応じたＩＤ情報及び／又は顔写真データを前記記憶手段から抽出して画面上に表示する認証手段と、該認証したユーザから入力された画像データを前記サーバ装置の予め決められた保管領域にアップロードするアップロード手段とを有するものである。
【特許文献１】特表２００８−５３０６４９号公報
【特許文献２】特開２００３−１２２６３３号公報
【特許文献３】特開２００８−４０８９８号公報
【特許文献４】特開２００５−２４２７９２号公報
【特許文献５】特開２００５−２１６０９２号公報
【特許文献６】特開２００５−２０５８２号公報
【非特許文献１】ｈｔｔｐｓ：／／ｗｗｗ．ｍａｇｏ−ｃｈ．ｃｏｍ／  まごちゃんねる
【非特許文献２】ｈｔｔｐｓ：／／ｍｙｐｏｃｋｅｔ．ｎｔｔ．ｃｏｍ／ｃｏｌｕｍｎ／ｓｈａｒｅ−ｐｈｏｔｏｓ−ｗｉｔｈ−ｙｏｕｒ−ｐａｒｅｎｔｓ．ｈｔｍｌ  マイポケットＳＴＹＬＥ＞離れて暮らす両親にプレゼント！「孫の写真」の送り方
【発明の概要】
【発明が解決しようとする課題】
【０００８】
以上のように、特許文献１乃至６または非特許文献１または２において、種々のシステムが開示されている。
しかしながら、特許文献１乃至６または非特許文献１または２においては、容易に抽出データを構築することができないという問題があった。また、携帯通信端末を用いて抽出データを構築する場合、携帯通信端末の通信が滞るという問題があった。さらに、特に、複数の人によるそれぞれの抽出条件に対応することができないという問題があった。
【０００９】
本発明の主な目的は、容易に抽出データを構築することができる、データ抽出システム、データ抽出プログラム、データ抽出方法、データ保管先装置、データ保管先装置の制御方法およびデータ保管先装置のプログラムを提供することである。
本発明の他の目的は、通信端末の通信を円滑にしつつ、容易に抽出データを構築することができる、データ抽出システム、データ抽出プログラム、データ抽出方法、データ保管先装置、データ保管先装置の制御方法およびデータ保管先装置のプログラムを提供することである。
本発明の他の目的は、複数の人によるそれぞれの抽出条件に対応することができ、通信端末の通信を円滑にしつつ、容易に抽出データを構築することができる、データ抽出システム、データ抽出プログラム、データ抽出方法、データ保管先装置、データ保管先装置の制御方法およびデータ保管先装置のプログラムを提供することである。
【００１０】
（１）
一局面に従うデータ抽出システムは、通信端末と、データを記録する１または複数の記録部と、データを保管するデータ保管先装置と、を含み、通信端末は、１または複数の記録部に記録されたデータの書き込み指示をデータ保管先装置へ与え、データ保管先装置は、書き込み指示に応じて１または複数の記録部から所定のデータを抽出して保管するものである。
【００１１】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
また、通信端末は、携帯通信端末、タブレット端末、パーソナルコンピュータ等、任意の通信端末を用いることができる。
【００１２】
（２）
他の局面に従うデータ抽出システムは、通信端末と、データを記録する１または複数の記録部と、データを保管するデータ保管先装置と、書き込み指示を記録する書込指示記録部と、をさらに含み、通信端末は、１または複数の記録部に記録されたデータの書き込み指示を書込指示記録部へ与え、データ保管先装置は、書込指示記録部から書き込み指示を取得し、書き込み指示に応じて１または複数の記録部から所定のデータを抽出して保管するものである。
【００１３】
この場合、書込み指示記録部に書き込み指示が記録される。また、データ保管先装置は、書き込み指示に応じて、１または複数の記録部から所定のデータを抽出し、保管する。
その結果、画像または音声、動画等のデータを通信する必要がなくなる。また、所定のデータの抽出および保管は、データ保管先装置が実施するため、データの抽出および保管の間において、通信端末の利用を阻害することを防止することができる。
また、データ保管先装置は、書込指示記録部に記録された書き込み指示を取得し、書き込み指示に応じてデータを抽出することができる。
また、通信端末は、携帯通信端末、タブレット端末、パーソナルコンピュータ等、任意の通信端末を用いることができる。さらに、書込指示記録部は、クラウドストレージ等のサーバ、またはＮＡＳ（ネットワークアタッチトストレージ）等からなってもよい。
【００１４】
（３）
第３の発明にかかるデータ抽出システムは、一局面または第２の発明にかかるデータ抽出システムにおいて、通信端末は、少なくとも第１通信端末および第２通信端末を含み、第１通信端末は、第１通信端末と第２通信端末とのユーザ情報を記録した第１書き込み指示を作成し、第２通信端末は、自身のユーザ情報を記録した第２書き込み指示を作成し、データ保管先装置は、第１書き込み指示および第２書き込み指示を確認することによって全てのユーザからの書き込み指示を受信したと判断した場合、第１書き込み指示と第２書き込み指示とに応じて、１または複数の記録部から所定のデータを抽出して保管してもよい。
【００１５】
この場合、第１通信端末および第２通信端末から個別に第１書き込み指示および第２書き込み指示を作成し、データ保管先装置へ与えることができる。また、データ保管先装置は、第１書き込み指示、第２書き込み指示に応じて所定のデータを抽出し保管することができる。
すなわち、複数の通信端末から書き込み指示を行うことができる。すなわち、親族間、夫婦、彼氏彼女、企業内グループ、友人グループ等、２名以上のグループにおいても、容易に書き込み指示を行わせることができる。
その結果、データ抽出および保管を種々の記録部から収集することができる。
【００１６】
（４）
第４の発明にかかるデータ抽出システムは、一局面から第３の発明にかかるデータ抽出システムにおいて、書き込み指示には、書き込み指示の編集状況を示す編集状況情報がさらに含まれ、データ保管先装置は、書き込み指示の編集状況情報を確認し、編集完了と判断した場合に、書き込み指示に応じて、１または複数の記録部から所定のデータを抽出して保管してもよい。
【００１７】
この場合、書き込み指示の編集状況を示す編集状況情報に応じてデータ抽出を行うことができるので、処理を簡潔に実施することができる。
【００１８】
（５）
第５の発明にかかるデータ抽出システムは、一局面から第４の発明にかかるデータ抽出システムにおいて、データ保管先装置は、データを記録媒体に書き込むことが可能であってもよい。
【００１９】
この場合、データ保管先装置は、データを記録媒体に書き込むことができるので、ＣＤ−Ｒ、ＤＶＤ、ＵＳＢメモリ等種々の記録媒体にデータを書き込むことができる。
【００２０】
（６）
第６の発明にかかるデータ抽出システムは、一局面から第５の発明にかかるデータ抽出システムにおいて、テレビジョン装置および外部通信端末の少なくとも一方をさらに含み、データ保管先装置は、テレビジョン装置および外部通信端末の少なくとも一方に保管したデータを閲覧可能なデータとして送信してもよい。
【００２１】
この場合、テレビジョン装置および外部通信端末の少なくとも一方に、データを閲覧可能なデータとして送信することができる。その結果、遠隔地の人が有するテレビジョン装置および外部通信端末の少なくとも一方に、データを閲覧できるよう送信することができる。また、テレビジョン装置であれば、システム熟知度が低い場合であっても、容易にデータの閲覧を行うことができる。
【００２２】
（７）
第７の発明にかかるデータ抽出システムは、一局面から第６の発明にかかるデータ抽出システムにおいて、データ保管先装置は、書き込み指示に応じて１または複数の記録部から所定のデータを抽出して保管し、保管完了の場合に通信端末に完了の旨を送信し、通信端末は、データ保管先装置から完了の旨を受信した場合に、保管したデータを閲覧可能であってもよい。
【００２３】
この場合、通信端末に、データ保管先装置により抽出および保管されたデータについて、データの一覧を閲覧することができる情報が送信される。
その結果、通信端末を有するユーザは、データの一覧を容易に確認することができる。
また、通信端末を有するユーザは、閲覧可能なデータの一覧から、不要と判断するデータの削除またはデータの並び替えを行うことができる。その結果、通信端末における負担を最小限にして、ユーザの望むデータの抽出および保管を行うことができる。ここで、通信端末における負担とは、データの送受信または通信容量等を意味する。
また、第１通信端末は、第２通信端末によるデータ書き込み指示の完了の旨を受領することができる。その結果、容易に第２通信端末によるデータ書き込み指示が行われたか否かを第１通信端末のユーザが認識することができる。
【００２４】
（８）
第８の発明にかかるデータ抽出システムは、一局面から第７の発明にかかるデータ抽出システムにおいて、通信端末は、所定の条件に応じて自動的に書き込み指示を作成してもよい。
【００２５】
この場合、通信端末は、所定の条件に応じて自動的に書き込み指示を作成してもよいので、ユーザは、抽出されるデータの条件を設定するのみで、データ保管先装置にデータの抽出および保管を行うことができる。例えば、所定の条件とは、年月日、人物像（顔画像データ）、ジャンル、位置情報、音楽のジャンル、新聞のキーワード、その他キーワード、等のうち少なくとも一つであり、その他任意のキーワード等を用いることができる。
【００２６】
（９）
他の局面に従うデータ抽出プログラムは、通信端末、データを記録する１または複数の記録部、および前記データを保管するデータ保管先装置の少なくとも２つの通信を制御するデータ抽出プログラムであって、通信端末から１または複数の記録部に記録されたデータの書き込み指示を作成してデータ保管先装置へ与える指示処理と、指示処理に応じて、データ保管先装置が１または複数の記録部から所定のデータを抽出して保管する抽出保管処理と、を含むものである。
【００２７】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
【００２８】
（１０）
さらに他の局面に従うデータ抽出方法は、通信端末、データを記録する１または複数の記録部、およびデータを保管するデータ保管先装置の少なくとも２つの通信を制御するデータ抽出方法であって、通信端末から１または複数の記録部に記録されたデータの書き込み指示を作成してデータ保管先装置へ与える指示工程と、指示工程に応じて、データ保管先装置が１または複数の記録部から所定のデータを抽出して保管する抽出保管工程と、を含むものである。
【００２９】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
【００３０】
（１１）
さらに他の局面に従うデータ保管先装置は、データ保管先装置であって、通信端末および１または複数の記録装置と通信可能な通信部を持ち、通信部は、通信端末から送信された、１または複数の記録装置に記録されたデータの書き込み指示を受信し、書き込み指示に応じて、１または複数の記録装置から所定のデータを抽出して保管するものである。
【００３１】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
【００３２】
（１２）
さらに他の局面に従うデータ保管先装置の制御方法は、データ保管先装置の制御方法であって、通信端末および１または複数の記録装置と通信可能な通信工程と、通信工程は、通信端末から送信された、１または複数の記録装置に記録されたデータの書き込み指示を受信する受信工程と、受信工程による書き込み指示に応じて、１または複数の記録装置から所定のデータを抽出して保管する抽出保管工程と、を含むものである。
【００３３】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
【００３４】
（１３）
さらに他の局面に従うデータ保管先装置のプログラムは、データ保管先装置のプログラムであって、通信端末および１または複数の記録装置と通信可能な通信処理と、通信処理は、通信端末から送信された、１または複数の記録装置に記録されたデータの書き込み指示を受信する受信処理と、受信処理による書き込み指示に応じて、１または複数の記録装置から所定のデータを抽出して保管する抽出保管処理と、を含むものである。
【００３５】
この場合、通信端末から書き込み指示が与えられる。また、データ保管先装置は、書き込み指示に応じて、１または複数の記録部から所定のデータを抽出し、保管する。
その結果、通信端末は、画像または音声、動画等のデータを通信する必要がなくなる。すなわち、通信端末は、書き込み指示を作成するのみである。また、所定のデータの抽出および保管は、データ保管先装置が実施するため、データの抽出および保管の間において、通信端末の利用を阻害することを防止することができる。
【００３６】
（１４）
さらに他の局面に従うデータ保管先装置は、データ保管先装置であって、書込指示記録部および１または複数の記録装置と通信可能な通信部を持ち、通信部は、書込指示記録部に記録された、１または複数の記録装置に記録されたデータの書き込み指示を受信し、書き込み指示に応じて、１または複数の記録装置から所定のデータを抽出して保管するものである。
【００３７】
この場合、書込み指示記録部に書き込み指示が記録される。また、データ保管先装置は、書き込み指示に応じて、１または複数の記録部から所定のデータを抽出し、保管することができる。
【００３８】
（１５）
さらに他の局面に従うデータ保管先装置の制御方法は、データ保管先装置の制御方法であって、書込指示記録部および１または複数の記録装置と通信可能な通信工程と、通信工程は、書込指示記録部に記録された、１または複数の記録装置に記録されたデータの書き込み指示を受信する受信工程と、受信工程による書き込み指示に応じて、１または複数の記録装置から所定のデータを抽出して保管する抽出保管工程と、を含むものである。
【００３９】
この場合、書込み指示記録部に書き込み指示が記録される。また、データ保管先装置は、書き込み指示に応じて、１または複数の記録部から所定のデータを抽出し、保管することができる。
【００４０】
（１６）
さらに他の局面に従うデータ保管先装置のプログラムは、データ保管先装置のプログラムであって、書込指示記録部および１または複数の記録装置と通信可能な通信処理と、通信処理は、書込指示記録部に記録された、１または複数の記録装置に記録されたデータの書き込み指示を受信する受信処理と、受信処理による書き込み指示に応じて、１または複数の記録装置から所定のデータを抽出して保管する抽出保管処理と、を含むものである。
【００４１】
この場合、書込み指示記録部に書き込み指示が記録される。また、データ保管先装置は、書き込み指示に応じて、１または複数の記録部から所定のデータを抽出し、保管することができる。
【図面の簡単な説明】
【００４２】
【図１】本実施の形態にかかるデータ抽出システムの一例を示す模式図である。
【図２】携帯通信端末の制御部の動作の一例を示すフローチャートである。
【図３】携帯通信端末の制御部の動作の一例を示すフローチャートである。
【図４】書込指示ファイルを受信したデータ保管先装置の動作の一例を示すフローチャートである。
【図５】書込指示ファイルの一例を示す模式図である。
【図６】携帯通信端末の表示部の表示の一例を示す模式図である。
【図７】携帯通信端末の表示部の表示の一例を示す模式図である。
【図８】携帯通信端末の表示部の表示の一例を示す模式図である。
【図９】第３の実施の形態にかかるデータ抽出システムの一例を示す模式図である。
【図１０】データ保管先装置の他の例を示す模式図である。
【図１１】データ保管先装置の他の例を示す模式図である。
【図１２】データ保管先装置の他の例を示す模式図である。
【図１３】データ抽出システムの各要素の配置例を示す模式図である。
【図１４】データ抽出システムの各要素の配置例を示す模式図である。
【図１５】データ抽出システムの各要素の配置例を示す模式図である。
【図１６】データ抽出システムの各要素の配置例を示す模式図である。
【図１７】データ抽出システムの各要素の配置例を示す模式図である。
【発明を実施するための形態】
【００４３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４４】
＜第１の実施形態＞
図１は、本実施の形態にかかるデータ抽出システム１００の一例を示す模式図である。
図１に示すように、データ抽出システム１００は、主に携帯通信端末２００、データ保管元装置３００、およびデータ保管先装置４００を含む。
【００４５】
（携帯通信端末２００）
図１の携帯通信端末２００は、制御部２１０、表示部２２０、操作部２３０、撮像部２４０を含む。また、本実施の形態において、携帯通信端末２００は、具体的に携帯電話またはスマートフォン等からなる。さらに、携帯通信端末２００には、専用のアプリケーションソフト５００がインストールされている。
後述するように、ユーザは、携帯通信端末２００の専用のアプリケーションソフト５００を用いて、書込指示ファイル７００を作成する。
【００４６】
（データ保管元装置３００）
本実施の形態において、データ保管元装置３００は、ネットワークを介してデータの送受信ができるストレージである。データ保管元装置３００は、例えば、ＮＡＳ（ネットワークアタッチトストレージ）、クラウドストレージ等からなる。データ保管元装置３００には、画像、動画、など、各種データが保存されている。
本実施の形態においてデータ保管元装置３００は、携帯通信端末２００と同じネットワーク内に設けられている。
なお、本実施の形態においては、データ保管元装置３００は、携帯通信端末２００と同じネットワーク内に設けられている場合について説明しているが、これに限定されず、外部ネットワークに存在していてもよく、一部のデータ保管元装置３００が携帯通信端末２００と同じネットワーク内に設けられ、他部のデータ保管元装置３００が外部ネットワークに設けられてもよい。
また、データ保管元装置３００は、ネットワークを介して携帯通信端末２００の撮像部２４０により撮影された写真データ、動画データを自動的に保存するように設定されていてもよい。
【００４７】
（データ保管先装置４００）
データ保管先装置４００は、携帯通信端末２００からの書込指示ファイル７００の内容に従ってデータ保管元装置３００からデータを自主的に取得する機能を有する。
【００４８】
（アプリケーションの動作）
図２および図３は、携帯通信端末２００の制御部２１０の動作の一例を示すフローチャートである。具体的には、制御部２１０によるアプリケーションソフト５００の動作について説明する。
【００４９】
ユーザは、携帯通信端末２００のアプリケーションソフト５００を起動させる（ステップＳ１）。
また、ユーザは、携帯通信端末２００の撮像部２４０を用いて、データ保管元装置３００の外部アクセス用接続情報を登録する（ステップＳ２）。
また、同様に、ユーザは、携帯通信端末２００の撮像部２４０を用いて、データ保管先装置４００の外部アクセス用接続情報を登録する（ステップＳ３）。
これにより、携帯通信端末２００にデータ保管元装置３００とデータ保管先装置４００とが登録される。
【００５０】
具体的に、ユーザは、データ保管元装置３００、データ保管先装置４００のアドレス情報等の接続情報が示され、例えばＱＲコード（登録商標）が印刷されたカード、または、当該筐体に貼着されているＱＲコード（登録商標）を、携帯通信端末２００の撮像部で撮影することにより情報を取得させることができる。ＱＲコード（登録商標）には、必要に応じて装置の型番、シリアル番号、ＭＡＣアドレスなどの装置情報を含ませても良い。
例えば、ＱＲコード（登録商標）に装置の型番情報があれば、携帯通信端末２００に登録されたデータ保管元装置３００または／およびデータ保管先装置４００の型番を携帯通信端末２００の表示部２２０に表示することができる。
また、データ保管元装置３００および／またはデータ保管先装置４００にアクセスした際のログインに必要なＩＤとパスワードなどと、を含ませることも可能である。
【００５１】
また、後述するＵＰｎＰ等を使用したネットワーク内での装置の検索時に利用する情報を含ませても良い。また、後述する書込指示ファイルの暗号化に使用する公開鍵または／および共通鍵情報を含んでいても良い。
なお、ＱＲコード（登録商標）に限定されず、その他、近距離無線通信、ＮＦＣを利用して取得してもよく、ユーザによる手入力でもよく、その他の任意の手法であってもよい。
また、外部アクセス用接続情報の具体例は、ダイナミックＤＮＳ（Ｄｙｎａｍｉｃ  Ｄｏｍａｉｎ  Ｎａｍｅ  Ｓｙｓｔｅｍ）を利用したアクセスのためのＤＮＳサーバのアドレス（ＵＲＬアドレス）、ホスト名とパスワードであってもよく、データ保管元装置３００がクラウドストレージの場合、クラウドストレージにアクセスするアドレス（ＵＲＬアドレス）とＩＤおよび／またはパスワードであってもよい。
なお、ダイナミックＤＮＳを使用したアクセスでは、データ保管元装置３００（またはデータ保管先装置４００）に例えばブロードバンドルータを介して、または直接割り当てられたグローバルＩＰアドレス等のアドレス情報が変更された場合に、都度ＤＮＳサーバ（図示せず）に対して変更されたアドレス情報をデータ保管元装置３００（またはデータ保管先装置４００）が自身のホスト名と関連付けて登録する。そして、携帯通信端末２００はデータ保管元装置３００（またはデータ保管先装置４００）のホスト名とパスワードとをＤＮＳサーバに送信することによって、ホスト名と関連付けられているデータ保管元装置３００（またはデータ保管先装置４００）のアドレス情報を取得し、携帯通信端末２００はデータ保管元装置３００（またはデータ保管先装置４００）と通信をおこなう。
【００５２】
次に、ユーザは、携帯通信端末２００の撮像部２４０を用いて写真および／または動画など、撮影を行う。
【００５３】
ユーザは、携帯通信端末２００のアプリケーションソフト５００を用いて、一のデータ保管元装置３００を選択する（ステップＳ４）。
次に、携帯通信端末２００のアプリケーションソフト５００を用いて、制御部２１０は、選択された一のデータ保管元装置３００が、携帯通信端末２００と同じネットワーク内に存在するかどうかをＵＰｎＰ（Ｕｎｉｖｅｒｓａｌ  Ｐｌｕｇ  ａｎｄ  Ｐｌａｙ）を使用して検索し、判定する（ステップＳ５）。
なお、ネットワーク内の検索についてはＵＰｎＰに限定されず、任意の方法を適用可能である。
【００５４】
選択されたデータ保管元装置３００が、携帯通信端末２００と同じネットワーク内に存在すると判定された場合、携帯通信端末２００の制御部２１０は、データ保管元装置３００が属するネットワーク内の、例えばＬＡＮ上のアドレス情報（内部アクセス用接続情報）を記録する（ステップＳ６）。
また、選択されたデータ保管元装置３００が、携帯通信端末２００と同じネットワーク内に存在すると判定された場合、携帯通信端末２００の制御部２１０は、そのネットワーク、例えばＬＡＮを使用してデータ保管元装置３００にアクセスを行う（ステップＳ７）。
【００５５】
一方、選択されたデータ保管元装置３００が、携帯通信端末２００と同じネットワーク内に存在しないと判定された場合、ダイナミックＤＮＳを利用してデータ保管元装置３００にアクセスする（ステップＳ８）。
なお、この場合、予めアプリケーションソフト５００に対して接続情報が登録されているデータ保管元装置３００のホスト名および／またはパスワードを使用する。
【００５６】
データ保管元装置３００は、携帯通信端末２００からのアクセスに応答を行う。携帯通信端末２００の制御部２１０は、アクセスの応答を受信する（ステップＳ９）。携帯通信端末２００の制御部２１０は、アプリケーションソフト５００に基づいて撮像部２４０により撮影された写真データ、動画データを自動的に保管元装置３００に保存する（ステップＳ１０）。なお、本実施の形態においては、アプリケーションソフト５００を用いて写真データ、動画データを自動的にデータ保管元装置３００に保存することとしているが、これに限定されず、ステップＳ１０の処理の前にデータ保管元装置３００に保存されているデータを、アプリケーションソフト５００を用いて後述する抽出を行っても良い。
【００５７】
次に、ユーザは、携帯通信端末２００のアプリケーションソフト５００を用いて、データ保管先装置４００を選択する（ステップＳ１１）。
次に、携帯通信端末２００のアプリケーションソフト５００を用いて、制御部２１０は、選択された一のデータ保管先装置４００が、携帯通信端末２００と同じネットワーク内に存在するかどうかをＵＰｎＰ（Ｕｎｉｖｅｒｓａｌ  Ｐｌｕｇ  ａｎｄ  Ｐｌａｙ）を使用して検索し、判定する（ステップＳ１２）。
なお、ネットワーク内の検索についてはＵＰｎＰに限定されず、任意の方法を適用可能である。
【００５８】
選択されたデータ保管先装置４００が、携帯通信端末２００と同じネットワーク内に存在すると判定された場合、携帯通信端末２００の制御部２１０は、データ保管先装置４００が属するネットワーク内の、例えばＬＡＮ上のアドレス情報を記録する（ステップＳ１３）。
また、選択されたデータ保管先装置４００が、携帯通信端末２００と同じネットワーク内に存在すると判定された場合、携帯通信端末２００の制御部２１０は、そのネットワーク、例えばＬＡＮを使用してデータ保管先装置４００にアクセスを行う（ステップＳ１４）。
【００５９】
一方、選択されたデータ保管先装置４００が、携帯通信端末２００と同じネットワーク内に存在しないと判定された場合、ダイナミックＤＮＳを利用してデータ保管先装置４００にアクセスする（ステップＳ１５）。
なお、この場合、予めアプリケーションに対してアドレス情報が登録されているデータ保管先装置４００のホスト名および／またはパスワードを使用する。
【００６０】
データ保管先装置４００は、携帯通信端末２００からのアクセスに応答を行う。携帯通信端末２００の制御部２１０は、アクセスの応答を受信する（ステップＳ１６）。
【００６１】
次に、ユーザは、携帯通信端末２００の操作部２３０を用いて書込指示ファイル７００を作成する。具体的に、携帯通信端末２００の制御部２１０は、データ保管元装置３００内に記録されたデータからデータ保管先装置４００へコピーまたは移動したいデータ情報を作成するための書込指示ファイル７００を作成する（ステップＳ１７）。書込指示ファイル７００の詳細については、後述する。
【００６２】
携帯通信端末２００の制御部２１０は、作成した書込指示ファイル７００を、データ保管先装置４００へ送信する（ステップＳ１８）。なお、本実施の形態において、書込指示ファイル７００は、暗号化されていることが好ましい。
具体例として、携帯通信端末２００の制御部２１０は、データ保管先装置４００から発行された公開鍵を利用して暗号化して送信する。すなわち、携帯通信端末２００のアプリケーションソフト５００を用いて制御部２１０は、データ保管先装置４００にアクセスする。データ保管先装置４００は公開鍵を携帯通信端末２００へ送信する。携帯通信端末２００の制御部２１０は、公開鍵を使って書込指示ファイル７００を暗号化してデータ保管先装置４００に送信する。もちろん、暗号化には共通鍵方式など、その他任意の暗号化方式を利用しても良い。
【００６３】
なお、本実施の形態において、書込指示ファイル７００を一つとして説明しているが、これに限定されず、複数の書込指示ファイル７００を作成し、データ保管先装置４００に送付してもよい。その場合、データ保管先装置４００は、複数の書込指示ファイル７００を、例えば、受信した順番にスタックし、順番に処理してもよい。
【００６４】
また、本実施の形態においては、携帯通信端末２００からデータ保管先装置４００に書込指示ファイル７００を送付することとしているが、これに限定されず、データ保管元装置３００を経由してもよく、その他の任意の装置を経由してもよく、他の任意の方式であってもよい。
例えば、携帯通信端末２００は、クラウドストレージ（図示せず）に書込指示ファイル７００を送信し、データ保管先装置４００は、定期的にクラウドストレージ（図示せず）にアクセスし、当該クラウドストレージから書込指示ファイル７００を取得してもよい。この場合、データ保管先装置４００には当該クラウドストレージにアクセスするためのアドレスとＩＤおよび・またはパスワードとを予め設定する。
【００６５】
次に、図４は、書込指示ファイル７００を受信したデータ保管先装置４００の動作の一例を示すフローチャートである。
図４に示すように、データ保管先装置４００は、携帯通信端末２００側から書込指示ファイル７００を受信する（ステップＳ２１）。書込指示ファイル７００が公開鍵で暗号化されている場合、データ保管先装置４００の秘密鍵で復号化する（ステップＳ２２）。共通鍵方式を採用している場合は、共通鍵を利用して復号化する。
【００６６】
データ保管先装置４００は、書込指示ファイル７００に基づいてデータ保管元装置３００にアクセスを行う（ステップＳ２３）。データ保管元装置３００は、データ保管先装置４００からのアクセスに応答する。データ保管先装置４００は、書込指示ファイル７００に基づいてデータ保管元装置３００からデータを取得する（ステップＳ２４）。
【００６７】
また、携帯通信端末２００のアプリケーションソフト５００は、定期的、または任意のタイミングで、データ保管先装置４００のステータス確認を行うことができてもよい。この場合、データ保管先装置４００は、携帯通信端末２００からのアクセスに応答し、データ取得状況のステータスを携帯通信端末２００へ送信する（ステップＳ２５）。
例えば、携帯通信端末２００に送信される情報は、「データ取得待ち」、「データ取得中」、「データ取得完了」、「データ取得エラー」、その他のステータス状態等である。
【００６８】
なお、任意のタイミングとは、携帯通信端末２００のアプリケーションソフト５００を起動した場合、アプリケーションソフト５００のステータス確認ボタンを操作した場合、５分毎、１０分毎、その他任意の時間毎であってもよい。
【００６９】
書込指示ファイル７００に、後述する書き込みタイトル名、複数の書込指示ファイルを個別に識別可能な書込指示識別情報が含まれている場合は、その書き込みタイトル名、書込指示識別情報を、データ保管先装置４００のステータス情報と関連付けて携帯通信端末２００に送信しても良い。
この場合、ユーザはアプリケーションソフト５００を使用して、複数の書込指示ファイル７００のうち、いずれか１つまたは複数の書込指示ファイル７００に対するステータス情報を受信したか、確認することが可能となる。
【００７０】
データ保管先装置４００は、書込指示ファイル７００に基づいてデータ保管元装置３００からデータを全て取得したか否かを判定する（ステップＳ２６）。全てのデータを取得していないと判定した場合には、ステップＳ２４に戻り処理を繰り返す。
一方、全てのデータを取得した場合には、「データ取得完了」のステータスを携帯通信端末２００に送信し、処理を終了する。
【００７１】
（書込指示ファイル７００）
以下、書込指示ファイル７００について説明を行う。図５は、書込指示ファイル７００の一例を示す模式図である。
書込指示ファイル７００は、ユーザが、携帯通信端末２００のアプリケーションソフト５００を用いて、作成する。本実施の形態における書込指示ファイル７００は、データ保管先装置４００に対して、各種指示を出すための指示書である。
図５に示すように、書込指示ファイル７００は、少なくとも、データ保管元装置３００にアクセスするための接続情報およびファイル情報を含む。ファイル情報とは、データ保管元装置３００内のファイル保管場所等を示す情報であり、具体的にディレクトリ情報および／またはファイル名を含む。
【００７２】
なお、データ保管元装置３００とデータ保管先装置４００とが、携帯通信端末２００と同じネットワークに存在する場合は、書込指示ファイル７００で指示するデータ保管元装置３００のアドレス情報は、データ保管元装置３００のＬＡＮ上のアドレス情報としても良い。
【００７３】
また、データ保管先装置４００は、書込指示ファイル７００の指示通りに書き込みが終了した場合に、携帯通信端末２００に直接通知可能なように、書込指示ファイル７００に対してＥＭＡＩＬアドレスを設定してもよい。
なお、ＥＭＡＩＬに限定されず、ＬＩＮＥ（登録商標）などのＳＮＳ（ソーシャル・ネットワーキング・サービス）を経由して通知可能なように設定されていても良い。
【００７４】
なお、書込指示ファイル７００は、データ保管先装置４００がＤＶＤ作成機能など、データ保管先装置４００内のデータを光ディスクメディアへ書き込むことが可能な書込機能部を有する場合、どのようなＤＶＤメディア形式でＤＶＤを作成するかというように、どのような形式で、ＣＤまたはブルーレイディスクなど、どのようなディスクメディアへデータの書込を行うか、という情報を含んでいてもよい。
【００７５】
例えば、データを音楽ＣＤとしてＣＤメディアに書き込む場合は、書込指示ファイル７００は書込対象のディスクメディアをＣＤとし、データをＣＤ−ＤＡ形式などのオーディオＣＤ形式で作成する旨の情報を持つ。その場合、データ保管先装置４００は書込指示ファイル７００に従ってデータ保管元装置３００から取り込んだデータを書込指示ファイル７００で指示された形式にデータフォーマットを変換してから、書込指示ファイル７００によって指示されたＣＤ等の光ディスクメディアへ書き込みを行う。
【００７６】
また、ＤＶＤなど光ディスクメディアを複数枚作成する場合には、書込指示ファイル７００に、「書込枚数」の情報を付加しても良い。その場合、データ保管先装置４００は「書込枚数」に指示された枚数分だけ、書込指示ファイル７００に示されたデータをメディアに記録する。
また、データ保管先装置４００がデータ保管先装置４００内のデータを光ディスクメディアへの書き込み機能またはＵＳＢメモリまたはＳＤメモリカード等の可搬型半導体メモリへの書込機能部を有する場合、どのメディアへ書き込みをおこなうかが指示された書込指示ファイル７００に従って、ＣＤ、ＤＶＤ、ＵＳＢメモリ、ＳＤメモリカードのうちどのメディアに書き込みを行うか選定できる構成としてもよく、データ保管先装置４００に挿入すべきメディアの種類を示すための表示部を持ち、例えばメディアの種類を示すためのＬＥＤを点灯させるなどの構成を有していても良い。
【００７７】
この場合、ユーザはデータ保管先装置４００の表示部を確認することによって、データ保管先装置４００に挿入すべきメディアの種類を知ることが可能となる。なお、ユーザが間違ったメディアを挿入したとデータ保管先装置４００が判断した場合は、その旨を報知する構成であっても良い。
また、データ保管先装置４００はメディアへの書き込み準備が完了した旨を示すためにＬＥＤなどの表示部を持っても良い。その場合、ユーザは書込準備完了を確認し、データを書き込むためのメディアをデータ保管先装置４００の書込機能部に対して挿入する。
【００７８】
データ保管先装置４００はメディアの挿入を検知することをきっかけとして、メディアへの書き込みを実施する構成としても良い。そうした場合、ユーザはデータ保管先装置４００がメディアへの書き込み準備が完了する毎に、該当するメディアを挿入するだけでメディアへの書き込みが実施されるため、ユーザの利便性が増す。
【００７９】
また、図５に示すように、具体的に書込指示ファイル７００には、書き込みタイトル名等が含まれていてもよい。例えば、「２０１７年家族アルバム」等である。その場合、そのタイトル名を、メディアを識別するためのボリュームラベルとしてメディアに書き込む構成としても良い。
【００８０】
また、データ保管元装置３００は、複数のデータ保管元装置３０１，３０２，３０３からなってもよい。この場合、例えば、データ保管元装置３０１に記録されたファイルデータＡ（データ保管元装置３０１の接続情報＋ファイル情報）、データ保管元装置３０２に記録されたファイルデータＢ（データ保管元装置３０２の接続情報＋ファイル情報）、データ保管元装置３０３にあるファイルデータＣ（データ保管元装置３０３の接続情報＋ファイル情報）というように書込指示ファイル７００を作成し、データ保管先装置４００に指示する。
この場合、データ保管先装置４００は、書込指示ファイル７００に従って、各データ保管元装置３０１，３０２，３０３の接続情報を使用し、各データ保管元装置３０１，３０２，３０３からファイルを取得する。
【００８１】
また、携帯通信端末２００のアプリケーションソフト５００は、データ保管元装置３００と通信を行い、携帯通信端末２００の表示部２２０に、データ保管元装置３００内のファイルのファイル名、または、そのファイルのプレビュー画面を表示させ、操作部２３０で選択することで、データ保管元装置３００のアドレス情報と選択したファイルのファイル情報を取得し、書込指示ファイル７００を作成してもよく、携帯通信端末２００の操作部２３０により特定のキーワード、日時、場所等を指定することで、書込指示ファイル７００を自動作成するようにしてもよい。
その場合、携帯通信端末２００のアプリケーションソフト５００は、指定されたキーワードに従って各データ保管元装置３００内のデータを検索し、該当するデータを抽出して、そのデータのファイル情報を保管元装置３００の接続情報と共に書込指示ファイル７００に記録する。
【００８２】
なお、携帯通信端末２００の操作部２３０により特定のキーワード、日時、場所等を指定することで、書込指示ファイル７００を自動作成するとしたが、特定のキーワード、日時、場所等をファイル情報として書込指示ファイルを作成しても良い。その場合は、データ保管先装置４００は書込指示ファイルに従って、各データ保管元装置３０１，３０２，３０３の接続情報を使用し、各データ保管元装置３０１，３０２，３０３から特定のキーワードに該当するファイルを検索し、当該ファイルを取得する。
【００８３】
以上の結果、携帯通信端末２００側は、書込指示ファイル７００を作成し、データ保管先装置４００へ送信するのみで、データ取得等の後の処理は、書込指示ファイル７００を受け取ったデータ保管先装置４００が自動的に実施するため、携帯通信端末２００の使用状況を最短で終了させることができる。
【００８４】
（第２の実施の形態）
以下、第２の実施の形態について説明を行う。第２の実施の形態においては、第１の実施の形態にかかるデータ抽出システム１００の他の例について説明を行う。したがって、第１の実施の形態にかかるデータ抽出システム１００と異なる点について説明を行う。
第２の実施の形態においては、書込指示ファイル７００をデータ保管先装置４００に送信した後に、抽出されたデータを携帯通信端末２００の表示部２２０で確認できるビューワプログラムを持つものである。
【００８５】
（ビューワ用順番ファイルのパターン）
図６、図７および図８は、携帯通信端末２００の表示部２２０の表示の一例を示す模式図である。
図６に示すように、携帯通信端末２００の表示部２２０に、データ保管元装置３００のファイルの一覧が表示される。
ユーザは、表示部２２０を確認し、データ保管元装置３００からデータ保管先装置４００へ書き込みしたいファイルを携帯通信端末２００のアプリケーションソフト５００上で選択することができる。
【００８６】
例えば、図７に示すように、１番目を写真データＡ、２番目を写真データＣ、３番目を写真データＤ、４番目を写真データＢと指定する場合、指定した順番とファイル名を関連付けた情報とを持つ再生制御情報ファイルを作成する。その場合、携帯通信端末２００のビューワプログラムは指示された順番で写真データを表示する。
もちろん、ファイル名と関連付ける順番は、ファイルを指定した順番ではなく、ユーザが任意に設定可能な構成としても良い。
また、前述のような単一種類のファイルの順番情報に限らず、複数種類のファイルを関連付けても良い。
【００８７】
例えば、図８に示すように、１番目を写真データＡおよび音楽データａ、２番目を写真データＤおよび音楽データｄ、というように複数のデータを紐づけ（リンク）させても良い。この場合、携帯通信端末２００の表示部２２０には、順番通りに指示された音楽を再生しつつ、写真データが表示される。なお、写真データの表示時間も指定しつつ、そのタイミングで再生される音楽データを指定可能としても良い。
【００８８】
例えば、１番目は、音楽データａのみ、２番目は、写真データＡを２秒、３番目は、写真データＣを４秒で、２番目および３番目は、音楽データｂ、４番目は写真データＤを３秒、５番目は写真データＢを３秒で、４番目および５番目は、音楽データｃ、というように指定してもよい。
【００８９】
この場合、携帯通信端末２００の表示部２２０のビューワプログラムには、まず音楽データａを再生した後、写真データＡが２秒表示された後、写真データＣが４秒表示され、写真データＡおよび写真データＣが表示される間音楽データｂが再生される、その後、写真データＤが３秒表示された後、写真データＢが３秒表示され、写真データＤおよび写真データＢが表示される間音楽データｃが再生される。
【００９０】
なお、音楽データは、例えばメッセージを記録した音声データであってもよい。例えば、子どもから「運動会の徒競走で１番になったよ！」というメッセージボイスが流れた後、ＢＧＭと共に運動会の様子の写真または動画が表示されてもよい。なお、再生制御情報ファイルとして、順番情報に関連付けるデータは、写真データ等の静止画データ、音楽データに限らず動画データであってもよい。
【００９１】
なお、第２の実施の形態においては、データ保管先装置４００が書込指示ファイル７００に基づいてデータを抽出し、データ保管先装置４００から携帯通信端末２００にデータ取得完了の指示が送られる場合に、ビューワプログラムを起動させて、閲覧することが可能となっている。
具体的には、携帯通信端末２００のビューワプログラムは、データ保管先装置４００がデータ取得完了となったことを確認した場合、データ保管先装置４００から再生制御情報ファイルを取得し、携帯通信端末２００のビューワプログラムは、再生制御情報ファイルに従って、データ保管先装置４００に保管されている写真、動画、音楽ファイルなどを携帯通信端末２００において、再生する。
【００９２】
また、第２の実施の形態にかかるデータ抽出システム１００を用いることにより、遠方に離れた人に対して、ビューワプログラムを用いて抽出したデータを閲覧してもらうこともできる。例えば、データ保管先装置４００と通信可能に設定され、ビューワプログラムがインストールされた携帯通信端末２００以外の携帯通信端末を遠方の祖父祖母が持つ。その場合、祖父祖母に対して、ビューワプログラムの再生情報を提供し、閲覧してもらうことも容易となる。
【００９３】
なお、データ保管先装置４００がテレビジョン装置等の外部表示装置への画像出力部も持つ場合、ユーザによるデータ保管装置４００に対するデータ再生指示に応じて、また、書込指示ファイル７００に応じたデータ取得が完了をきっかけとして、データ保管装置４００はデータ保管装置４００に保管されている写真、動画、音楽ファイルなどのデータを再生制御情報ファイルに従って外部表示装置に表示させても良い。
また、データ抽出システム１００を用いて作成したＤＶＤ等の光ディスクメディアや可搬型半導体メモリを送付し、テレビジョン装置で閲覧してもらうことも容易となる。もちろん、データ保管先装置４００が、例えば祖父祖母の自宅に設置されている場合、光ディスクメディア、または可搬型半導体メモリは祖父母の自宅で作成されることになるため、それらを祖父祖母へ送付する手間を省くことが可能となる。
【００９４】
（第３の実施の形態）
以下、第３の実施の形態について説明を行う。第３の実施の形態においては、第１の実施の形態および第２の実施の形態にかかるデータ抽出システム１００の他の例について説明を行う。したがって、第１の実施の形態および第２の実施の形態にかかるデータ抽出システム１００と異なる点について説明を行う。
第３の実施の形態においては、携帯通信端末２００が１台ではなく、複数台の携帯通信端末２００からなる。
【００９５】
図９は、第３の実施の形態にかかるデータ抽出システム１００の一例を示す模式図である。
本実施の形態にかかる携帯通信端末２０１と携帯通信端末２０２のユーザは、異なる人である。すなわち、複数のグループ、夫婦、知り合い、友人、等により、所定のデータを抽出することができるデータ抽出システム１００について説明を行う。まず、携帯通信端末２０１および携帯通信端末２０２には、いずれも、専用のアプリケーションソフト５００がインストールされている。
【００９６】
携帯通信端末２０１を有するユーザは、第１の実施の形態にかかるデータ抽出システム１００の設定と同様に書込指示ファイル７０１を作成し、その書込指示ファイル７０１に書込指示ファイルを作成する全てのメンバーのメンバー情報（各携帯通信端末の装置情報または各携帯通信端末を使用するユーザ情報、など）、タイムリミットを設定する。また、携帯通信端末２０２を有するユーザは、第１の実施の形態にかかるデータ抽出システム１００の設定と同様に書込指示ファイル７０２を作成し、その書込指示ファイル７０２に自身のメンバー情報を設定する。具体的には、書込指示ファイルを、各ユーザの携帯通信端末２０１、携帯通信端末２０２のそれぞれで、作成される。
【００９７】
なお、この場合、携帯通信端末２０１は、予め携帯通信端末２０２のユーザからメンバー情報を入手し設定する。設定はユーザによる手入力またはＱＲコード（登録商標）、近距離無線通信、ＮＦＣを利用しても良いし、携帯通信端末２０２からＥＭＡＩＬ、ＬＩＮＥ（登録商標）等のＳＮＳを利用して携帯通信端末２０１へ送信された情報を設定しても良い。また、携帯通信端末２０１のアプリケーションソフト５００と携帯通信端末２０２のアプリケーションソフト５００との間で通信され、自動設定されても良い。
【００９８】
また、携帯通信端末２０２は、携帯端末２０１ユーザから、データ保管先装置４００へのアクセス用接続情報を入手し設定する。設定はユーザによる手入力またはＱＲコード（登録商標）、近距離無線通信、ＮＦＣを利用しても良いし、携帯通信端末２０１からＥＭＡＩＬ、ＬＩＮＥ（登録商標）等のＳＮＳを利用して携帯通信端末２０２へ送信された情報を設定しても良い。また、携帯通信端末２０１のアプリケーションソフト５００と携帯通信端末２０２のアプリケーションソフト５００との間で通信され、自動設定されても良い。
【００９９】
また、携帯通信端末２０１はデータ保管先装置４００にアクセスするためのパスワード情報を生成してデータ保管先装置４００に設定し、携帯通信端末２０２は、データ保管先装置４００にアクセスするためのパスワード情報も携帯端末２０１ユーザから入手し、そのパスワード情報を設定可能な構成としても良い。パスワードについては有効期限が設定されたパスワードまたはワンタイムパスワードとすることによって、携帯端末２０１ユーザは携帯端末２０２ユーザに対して一時的にデータ保管先装置４００へのアクセスを許可することが可能となる。
【０１００】
携帯通信端末２０１のユーザは、第１の実施の形態または第２の実施の形態と同様に、書込指示ファイル７０１をデータ保管先装置４００に送信する。
次に、携帯通信端末２０２のユーザは、書き込み指示ファイル７０２を携帯通信端末２０１から送信されたデータ保管先装置４００の外部アクセス用接続情報を用いて、書込指示ファイル７０２をデータ保管先装置４００に送信する。
ここで、携帯通信端末２０１のデータ保管元装置３００と、携帯通信端末２０２のデータ保管元装置３００は、同じであってもよく、異なっていてもよい。すなわち、携帯通信端末２０１、２０２のユーザが、兄弟の場合、兄のデータ保管元装置３００から、所定のデータを抽出し、弟のデータ保管元装置３００から、所定のデータを抽出してもよい。
【０１０１】
また、データ保管先装置４００は、携帯通信端末２０１から送信された書込指示ファイル７０１に、書込指示ファイルを作成する全てのメンバーのメンバー情報、タイムリミットが含まれており、書き込み指示ファイル７０２には自身のメンバー情報が含まれているので、メンバー数に応じた書込指示ファイルを受信した場合など、データ保管先装置４００が書込指示ファイル７０１、７０２のメンバー情報を確認することによって書込指示ファイルを作成する全てのメンバーからの書込指示ファイルを受信したと判断した場合には、書込指示ファイル７０１、７０２に応じてデータ保管元装置３００からデータを取得し、携帯通信端末２０１にステータス情報を送信する。
【０１０２】
具体的には、「２名の書込指示ファイルを受信し、データ抽出が完了しました。」、またはタイムリミットが超過した場合に、「５名の内、Ｄさん以外の４名の書込指示ファイルを受信し、データ抽出が完了しました。」、または「３名の書込指示ファイルを受信し、データ抽出し、３枚のＤＶＤを作成しました。」等の旨が携帯通信端末２０１に送信される。
【０１０３】
その結果、複数のメンバーが協力して、１つのデータ抽出を行うことができる。また、本実施の形態においては、第２の実施の形態を利用し、ビューワプログラムで、データ抽出した複数のデータの整理を行ってもよく、削除、変更を行っても良い。すなわち、複数のメンバーが、納得する１つのデータ抽出を行うことができる。
なお、本実施例では携帯通信端末２０１を有するユーザは、書込指示ファイル７００を作成するメンバー情報、タイムリミットを設定するとしたが、それに限定されない。
【０１０４】
メンバー情報、タイムリミットを設定せず、データ保管先装置４００の接続情報を持つユーザが自由にデータ保管先装置４００へ書込指示ファイル７００を登録可能としても良い。
また、複数メンバーのそれぞれが書込指示ファイルを作成し、その書込指示ファイル７００をデータ保管先装置４００へ送信する例を示したが、それに限定されない。
【０１０５】
例えば、携帯通信端末２０１のユーザは、アプリケーションソフト５００を使用してクラウドストレージ上（図示せず）に編集中である旨の情報を設定した書込指示ファイル７００作成する。他の携帯通信端末２０２のユーザは、各携帯通信端末のアプリケーションソフト５００を使用して、携帯通信端末２０１がクラウドストレージ上に作成した書込指示ファイル７００を協力して編集する。そして、編集が終了した場合は書込指示ファイル７００に設定された編集中である旨の情報を解除する。データ保管先装置４００は、定期的にクラウドストレージにアクセスし、当該クラウドストレージから書込指示ファイル７００を取得し、編集中が解除されている場合に書込指示ファイル７００に従った処理を実施するようにしてもよい。
【０１０６】
なお、編集中である旨の情報は、書き込み指示ファイル７００を編集するユーザ毎に設定可能であっても良い。そうした場合、データ保管先装置４００は、例えば携帯通信端末２０１のユーザが編集完了しているが、携帯通信端末２０２のユーザは編集完了していない等、ユーザごとの編集状況を確認することができる。
なお、クラウドストレージ上に書込指示ファイル７００を作成するとしたが、この場合のクラウドストレージは、ＮＡＳであってもよく、例えばデータ保管装置４００に書込指示ファイル７００を作成する構成であっても良い。
【０１０７】
また、携帯通信端末２０２は、携帯端末２０１ユーザから、当該クラウドストレージへのアクセス用接続情報またはパスワード情報、当該書込指示ファイル７００を示す情報を入手し設定する。設定はユーザによる手入力またはＱＲコード（登録商標）、近距離無線通信、ＮＦＣを利用しても良いし、携帯端末２０１からＥＭＡＩＬ、ＬＩＮＥ（登録商標）等のＳＮＳで送信された情報を設定しても良い。また、携帯通信端末２０１のアプリケーションソフト５００と携帯通信端末２０２のアプリケーションソフト５００との間で通信され、自動設定されても良い。
【０１０８】
（他の例）
図１０、図１１、図１２は、データ保管先装置４００の他の例を示す模式図である。
まず、図１０に示すように、データ保管先装置４００は、データ保管先装置４００のステータス確認および／または書込指示ファイル７００の情報の一部または全部を表示する表示部４１０、データ保管先装置４００内のデータを光ディスクメディアへ書き込むことが可能な書込機能部としてのＤＶＤ装置４２０、データ保管元装置３００から書込指示ファイル７００に従って取り込んだデータ、またはそのデータのフォーマットを変換したフォーマット変換後のデータを記憶する記憶部４３０を含んでも良い。
【０１０９】
また、図１１に示すように、データ保管先装置４００は、表示部４１０、ＤＶＤ装置４２０、記憶部４３０、ＵＳＢインターフェイス（ＵＳＢ−ＩＦ）４４０を含んでも良く、ＵＳＢ−ＩＦ４４０に、外部のＵＳＢメモリ４５０を挿入できる構成にしてもよい。この場合、ＵＳＢメモリ４５０には、書込指示ファイル７００に従ってデータ保管先装置４００内のデータが書き込まれる。
【０１１０】
さらに、図１２に示すように、データ保管先装置４００は、表示部４１０、ＵＳＢ−ＩＦ４４０、ＵＳＢ−ＩＦ４６０を有し、外部のＵＳＢメモリ４５０、ＵＳＢ−ＤＶＤ装置４７０、記憶部（ＵＳＢ−ＨＤＤ）４８０を挿入できる構成にしてもよい。この場合、データ保管先装置４００は、ＵＳＢ−ＤＶＤ装置４７０を使用して、書込指示ファイル７００に従ってデータ保管先装置４００内のデータを各種光メディアディスクに書き込む。
【０１１１】
なお、ＵＳＢ−ＤＶＤ装置４７０のインターフェイスはＵＳＢに限定されず、データ保管先装置４００が制御可能なインターフェイスならば、例えばＬＡＮ等のネットワーク接続であっても良いし、有線接続であっても無線接続であってもよい。
【０１１２】
またＵＳＢ−ＤＶＤ装置４７０はＤＶＤ装置にも限定されない。データ保管先装置４００が制御可能な外付け装置ならば、ブルーレイディスク装置、ＨＤＤ装置等、各種ディスク装置、ＵＳＢメモリ、ＳＤカードなどの半導体メディアをリード／ライト可能な装置を適用することができる。
また、データ保管先装置４００は、記憶部（ＵＳＢ−ＨＤＤ）４８０をデータ保管元装置３００から書込指示ファイル７００に従って取り込んだデータ、または、そのデータのフォーマットを変換したフォーマット変換後のデータを記憶する記憶部としても良い。
【０１１３】
（さらに他の例）
図１３、図１４、図１５、図１６、図１７は、データ抽出システム１００の各要素の配置例を示す模式図である。図１３から図１７においては、家９１０および家９２０とは、離れた位置にある家である。
図１３に示すように、家９１０に、携帯通信端末２００、データ保管元装置３００、データ保管先装置４００を含んでもよい。この場合、全て同じネットワーク内にあり、ＬＡＮアクセス等で連携させることができる。
【０１１４】
次に、図１４に示すように、家９１０にデータ保管元装置３００が備えられ、家９２０にデータ保管先装置４００が備えられ、屋外に携帯通信端末２００がある場合、携帯通信端末２００およびデータ保管元装置３００と携帯通信端末２００およびデータ保管先装置４００は、ダイナミックＤＮＳを利用してアクセスされ、データ保管元装置３００およびデータ保管先装置４００も、ダイナミックＤＮＳを利用してアクセスされる。
または図１５に示すように、家９１０に携帯通信端末２００が備えられ、家９２０にデータ保管先装置４００が備えられ、データ保管元装置３００がクラウドストレージの場合、携帯通信端末２００はデータ保管元装置３００に対して、データ保管元装置３００（クラウドストレージ）にアクセスするアドレス（ＵＲＬアドレス）とＩＤおよび／またはパスワードを利用してアクセスし、携帯通信端末２００およびデータ保管先装置４００は、ダイナミックＤＮＳを利用してアクセスされ、データ保管先装置４００はデータ保管元装置３００に対してデータ保管元装置３００（クラウドストレージ）にアクセスするアドレス（ＵＲＬアドレス）とＩＤおよび／またはパスワードを利用してアクセスする。
【０１１５】
次いで、図１６に示すように、家９１０に携帯通信端末２００およびデータ保管元装置３００が備えられ、家９２０にデータ保管先装置４００が備えられた場合には、携帯通信端末２００およびデータ保管元装置３００は、ＬＡＮアクセス等で連携し、携帯通信端末２００およびデータ保管先装置４００、データ保管元装置３００およびデータ保管先装置４００は、ダイナミックＤＮＳを利用してアクセスされる。
【０１１６】
最後に、図１７に示すように、家９１０に携帯通信端末２００が備えられ、家９２０にデータ保管元装置３００およびデータ保管先装置４００が備えられた場合には、携帯通信端末２００とデータ保管元装置３００、データ保管先装置４００とは、ダイナミックＤＮＳを利用して接続され、データ保管元装置３００とデータ保管先装置４００とは、ダイナミックＤＮＳを利用してアクセスしても良いし、ＬＡＮアクセスで連携してもよい。
【０１１７】
以上のように、第１の実施の形態から第３の実施の形態にかかるデータ抽出システム１００においては、ユーザが、携帯通信端末２００を用いて、一つずつ画像または音声、動画等のデータを通信する必要がなくなる。すなわち、携帯通信端末２００が書込指示ファイル７００をデータ保管先装置４００へ送信するのみで、データ保管先装置４００がデータの抽出を行うことができるため、データの抽出および保管の間において、データ抽出および保管処理中の負荷の影響を受けることなく携帯通信端末２００を自由に利用することができる。
また、携帯通信端末２００は、完了の旨が送信されるので、携帯通信端末２００のユーザは、所定のデータの保管完了を認識することができる。
【０１１８】
なお、本実施例ではインターネットを経由した外部アクセスとしてダイナミックＤＮＳを利用したアクセスで説明を実施しているが、それに限定されない。例えばインターネットを経由したＬＡＮ内へのアクセスについては種々の外部アクセス方法が適用可能であり、その場合、外部アクセス用接続情報は、そのアクセス方法に合わせて適用される。
【０１１９】
本発明においては、携帯通信端末２００が「通信端末」に相当し、データ保管元装置３００，３０１，３０２が「１または複数の記録部」に相当し、データ保管先装置４００が「データ保管先装置」に相当し、書込指示ファイル７００，７０１，７０２が「書き込み指示」に相当し、ＵＳＢメモリ、ＤＶＤ、ＣＤ−Ｒ等のメディアが「記録媒体」に相当し、データ抽出システム１００が「データ抽出システム」に相当し、携帯通信端末２０１が「第１携帯通信端末」に相当し、携帯通信端末２０２が「第２携帯通信端末」に相当し、図２から図４の処理、アプリケーションソフト５００が、「データ抽出プログラムおよびデータ抽出方法」に相当する。
【０１２０】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１２１】
１００  データ抽出システム
２００、２０１、２０２  携帯通信端末
２１０  制御部
２２０  表示部
２３０  操作部
２４０  撮像部
３００、３０１、３０２  データ保管元装置
４００  データ保管先装置
４１０  表示部
４２０  ＤＶＤ装置
４３０  記憶部
４４０、４６０  ＵＳＢ−ＩＦ
４５０  ＵＳＢメモリ
４７０  ＵＳＢ−ＤＶＤ装置
４８０  記憶部（ＵＳＢ−ＨＤＤ）
５００  アプリケーションソフト
７００、７０１、７０２  書込指示ファイル
９１０、９２０  家
【図１】
2019135630.tif 000003
【図２】
2019135630.tif 000004
【図３】
2019135630.tif 000005
【図４】
2019135630.tif 000006
【図５】
2019135630.tif 000007
【図６】
2019135630.tif 000008
【図７】
2019135630.tif 000009
【図８】
2019135630.tif 000010
【図９】
2019135630.tif 000011
【図１０】
2019135630.tif 000012
【図１１】
2019135630.tif 000013
【図１２】
2019135630.tif 000014
【図１３】
2019135630.tif 000015
【図１４】
2019135630.tif 000016
【図１５】
2019135630.tif 000017
【図１６】
2019135630.tif 000018
【図１７】
2019135630.tif 000019